(57)【要約】【課題】  グレー軸の調整方法において、グレー軸周辺の低彩度色の調整も同時に行えるようにする。【解決手段】  異なった色合いの複数の画像を並べた調整用画像の中から選択された１つの画像に基づいて、画像記録装置のグレー軸の調整を行う画像記録方法において、調整用画像に含まれる複数の画像は、無彩色であるグレー軸の周辺色である低彩度色を複数用いたカラー写真画像であり、選択された１つの画像に基づいて、画像記録装置のインク色別に階調補正を行い、グレー軸の色合いを変更する。【選択図】  図４
2005130291.tif 000002
【特許請求の範囲】
【請求項１】
異なった色合いの複数の画像を並べた調整用画像の中から選択された１つの画像に基づいて、画像記録装置のグレー軸の調整を行う画像記録方法において、
前記調整用画像に含まれる前記複数の画像は、無彩色であるグレー軸の周辺色である低彩度色を複数用いたカラー写真画像であり、
前記選択された１つの画像に基づいて、前記画像記録装置のインク色別に階調補正を行い、グレー軸の色合いを変更する調整ステップ
を備えたことを特徴とする画像記録方法。
【請求項２】
前記複数の画像は、前記低彩度色を複数用いた人物の肌色、山岳の地肌、建造物および地面を含むカラー写真画像であることを特徴とする請求項１に記載の画像記録方法。
【請求項３】
前記調整ステップは、前記画像記録装置のインク色別に入出力濃度の関係を補正する補正ステップを含み、該補正ステップにおいて予め設定された階調補正テーブルを変更して、階調補正を行うことを特徴とする請求項１または２に記載の画像記録方法。
【請求項４】
前記調整ステップは、原画像信号を前記画像記録装置の色再現範囲に適応した画像信号へ変換する第１の色変換処理ステップを含み、該第１の色変換処理ステップを行う前に演算処理により階調補正を行うことを特徴とする請求項１または２に記載の画像記録方法。
【請求項５】
前記調整ステップは、原画像信号から前記画像記録装置の色再現範囲に適応した画像信号へ変換する第１の色変換処理ステップと、該第１の色変換処理ステップで変換された画像信号をインク色別に対応した信号値に変換する第２の色変換処理ステップとを含み、前記第１および第２の色変換処理ステップにおいて予め設定された色処理テーブルを変更して、階調補正を行うことを特徴とする請求項１または２に記載の画像記録方法。
【請求項６】
異なった色合いの複数の画像を並べた調整用画像の中から選択された１つの画像に基づいて、グレー軸の調整を行う画像記録装置において、
前記調整用画像に含まれる前記複数の画像は、無彩色であるグレー軸の周辺色である低彩度色を複数用いたカラー写真画像であり、
前記選択された１つの画像に基づいて、前記画像記録装置のインク色別に階調補正を行い、グレー軸の色合いを変更する調整手段
を備えたことを特徴とする画像記録装置。
【請求項７】
前記複数の画像は、前記低彩度色を複数用いた人物の肌色、山岳の地肌、建造物および地面を含むカラー写真画像であることを特徴とする請求項６に記載の画像記録装置。
【請求項８】
前記調整手段は、前記画像記録装置のインク色別に入出力濃度の関係を補正する補正手段を含み、該補正手段において設定された予め階調補正テーブルを変更して、階調補正を行うことを特徴とする請求項６または７に記載の画像記録装置。
【請求項９】
前記調整手段は、原画像信号から前記画像記録装置の色再現範囲に適応した画像信号へ変換する第１の色変換処理手段を含み、該第１の色変換処理手段の変換を行う前に演算処理により階調補正を行うことを特徴とする請求項６または７に記載の画像記録装置。
【請求項１０】
前記調整手段は、原画像信号から前記画像記録装置の色再現範囲に適応した画像信号へ変換する第１の色変換処理手段と、該第１の色変換処理手段で変換された画像信号をインク色別に対応した信号値に変換する第２の色変換処理手段とを含み、前記第１および第２の色変換処理手段において予め設定された色処理テーブルを変更して、階調補正を行うことを特徴とする請求項６または７に記載の画像記録装置。
【発明の詳細な説明】
【技術分野】
【０００１】
本発明は、画像記録方法および画像記録装置に関し、より詳細には、インクジェット方式の記録装置における、グレー軸の調整または黒とカラーとの調整を行う画像記録方法および画像記録装置に関する。
【背景技術】
【０００２】
従来、インクジェット方式の記録装置にいては、グレー軸調整または黒とカラーとの調整が行えるようになっている。グレーの色調は、ユーザの好みや使用目的によって、寒色系、暖色系、ニュートラル系などが存在する。そこで、ユーザにグレーの階調画像を提示して、いずれかの色調を選択させることが行われている。
【０００３】
図６に、従来の黒とカラーとの調整を行うためのテストパターンを示す。テストパターンは、背景とパッチとに分けられている。「背景色」は黒インクのみで印刷されており、黒インクの色合いが判るようになっている。「パッチ内色」は、カラーインクで印刷されており、通常はシアン、マゼンタ、イエローの３色が混ぜ合わされた状態になっている。図６には、パッチが、０１〜９９まで９９通り並べてあり、シアン、マゼンタ、イエローのカラーインクの割合を少しずつ変化させ、異なった色合いで塗りつぶされたパッチとなっている。９９通りのパッチの中から、「背景色」の黒インクの色合いと最も近い「パッチ内色」のパッチを、ユーザに選択させてグレー軸の調整を行っている。この方法は、例えば、ヒューレット・パッカード社のＣＰ１１６０というプリンタで採用されている。
【０００４】
図７に、従来のグレー軸の調整を行うためのテストパターンを示す。テストパターンのパッチは、「人物」等のモノトーン画像を用いて記録されている。図７で示した「人物」は、シアン、マゼンタ、イエローのカラーインクの割合が少しずつ異なった色合いで再現され、図６に示したように９９通りのパッチが配置される。ユーザは、９９通りのパッチの中から、好ましい色合いを選択することによってグレー軸の色合いを決定する。
【発明の開示】
【発明が解決しようとする課題】
【０００５】
しかしながら、従来の調整方法は、黒インクとカラーインクによるグレーの関係と、好ましいと思われるグレー軸の色合いとを決定することができるが、低彩度色の色合いを決定することが困難であるという問題があった。これは、グレー軸や黒の色合いのみを調整しているためである。
【０００６】
低彩度色とは、グレー軸周辺の彩度の低い色であり、肌色、石材やコンクリートなどの建造物、山岳の地肌、動物の毛の色、地面の色など、いわゆる記憶色が該当する。これらの色は、グレー軸の設定により強く影響を受ける。例えば、グレー軸が青みの強い色合いになれば、その周辺の肌色領域は、青方向にグレー軸とともに移動する。従って、肌の色合いは青みが増すか、または黄色味が減る。記憶色とは、観察者が記憶や思いこみで覚えている色合いことである。写真再現において、記憶色が観察者の思い描いた色と異なると、観察者は違和感を感じるとともに、写真再現の品位がかなり劣ると感じる。
【０００７】
本発明は、このような問題に鑑みてなされたもので、その目的とするところは、グレー軸周辺の低彩度色の調整を行うことができる画像記録方法および画像記録装置を提供することにある。
【課題を解決するための手段】
【０００８】
本発明は、このような目的を達成するために、請求項１に記載の発明は、異なった色合いの複数の画像を並べた調整用画像の中から選択された１つの画像に基づいて、画像記録装置のグレー軸の調整を行う画像記録方法において、前記調整用画像に含まれる前記複数の画像は、無彩色であるグレー軸の周辺色である低彩度色を複数用いたカラー写真画像であり、前記選択された１つの画像に基づいて、前記画像記録装置のインク色別に階調補正を行い、グレー軸の色合いを変更する調整ステップを備えたことを特徴とする。
【０００９】
請求項２に記載の発明は、請求項１に記載の前記複数の画像は、前記低彩度色を複数用いた人物の肌色、山岳の地肌、建造物および地面を含むカラー写真画像であることを特徴とする。
【００１０】
請求項３に記載の発明は、請求項１または２に記載の前記調整ステップは、前記画像記録装置のインク色別に入出力濃度の関係を補正する補正ステップを含み、該補正ステップにおいて予め設定された階調補正テーブルを変更して、階調補正を行うことを特徴とする。
【００１１】
請求項４に記載の発明は、請求項１または２に記載の前記調整ステップは、原画像信号を前記画像記録装置の色再現範囲に適応した画像信号へ変換する第１の色変換処理ステップを含み、該第１の色変換処理ステップを行う前に演算処理により階調補正を行うことを特徴とする。
【００１２】
請求項５に記載の発明は、請求項１または２に記載の前記調整ステップは、原画像信号から前記画像記録装置の色再現範囲に適応した画像信号へ変換する第１の色変換処理ステップと、該第１の色変換処理ステップで変換された画像信号をインク色別に対応した信号値に変換する第２の色変換処理ステップとを含み、前記第１および第２の色変換処理ステップにおいて予め設定された色処理テーブルを変更して、階調補正を行うことを特徴とする。
【００１３】
請求項６に記載の発明は、異なった色合いの複数の画像を並べた調整用画像の中から選択された１つの画像に基づいて、グレー軸の調整を行う画像記録装置において、前記調整用画像に含まれる前記複数の画像は、無彩色であるグレー軸の周辺色である低彩度色を複数用いたカラー写真画像であり、前記選択された１つの画像に基づいて、前記画像記録装置のインク色別に階調補正を行い、グレー軸の色合いを変更する調整手段を備えたことを特徴とする。
【００１４】
請求項７に記載の発明は、請求項６に記載の前記複数の画像は、前記低彩度色を複数用いた人物の肌色、山岳の地肌、建造物および地面を含むカラー写真画像であることを特徴とする。
【００１５】
請求項８に記載の発明は、請求項６または７に記載の前記調整手段は、前記画像記録装置のインク色別に入出力濃度の関係を補正する補正手段を含み、該補正手段において設定された予め階調補正テーブルを変更して、階調補正を行うことを特徴とする。
【００１６】
請求項９に記載の発明は、請求項６または７に記載の前記調整手段は、原画像信号から前記画像記録装置の色再現範囲に適応した画像信号へ変換する第１の色変換処理手段を含み、該第１の色変換処理手段の変換を行う前に演算処理により階調補正を行うことを特徴とする。
【００１７】
請求項１０に記載の発明は、請求項６または７に記載の前記調整手段は、原画像信号から前記画像記録装置の色再現範囲に適応した画像信号へ変換する第１の色変換処理手段と、該第１の色変換処理手段で変換された画像信号をインク色別に対応した信号値に変換する第２の色変換処理手段とを含み、前記第１および第２の色変換処理手段において予め設定された色処理テーブルを変更して、階調補正を行うことを特徴とする。
【発明の効果】
【００１８】
以上説明したように、本発明によれば、グレー軸の決定時にグレー軸周辺の低彩度色であるカラー画像も同時に表示させるので、グレーの色合いだけでなくグレー軸周辺の記憶色も違和感なく好ましい色合いを調整することが可能となる。
【発明を実施するための最良の形態】
【００１９】
以下、図面を参照しながら本発明の実施形態について詳細に説明する。本実施形態においては、無彩色であるグレーの調整を行う際に、テストパターンに無彩色であるグレー軸周辺の低彩度色を複数種類用いたカラー写真画像を用いる。
【００２０】
図１に、本発明の一実施形態にかかるインクジェットカラープリンタを示す。印字ヘッド１は、複数のノズル列を有し、インク滴を吐出することにより記録媒体上にドットを形成する。印字ヘッド１は、複数の印字ヘッド列１Ｋ（濃黒）、１Ｃ（濃シアン）、１ＬＣ（淡シアン）、１Ｍ（濃マゼンタ）、１ＬＭ（淡マゼンタ）、１Ｙ（濃イエロー）を有し、キャリッジ２０１上に搭載されている。異なる印字ヘッド列から異なる色インクが吐出され、これらのインク滴の混色により、記録媒体上に色画像が形成される。印字データは、ケーブル９によりプリンタ本体の電気回路から印字ヘッドに伝達される。
【００２１】
本実施形態では、６色インクを有する装置構成である。この場合、濃シアンインクと淡シアンインクとは、同系色のインクであり、異なる発色材濃度を有している。表記の通り、濃シアンインクの方が淡シアンインクより発色材の濃度が高い。発色材は、染料または顔料が用いられる。なお、濃淡インクの違いは、発色材の濃度だけではなく、発色材そのものにも異なる材料が含まれている場合がある。また、インク中の溶剤組成等も濃淡インクで違いがある場合もあるが、同系色のインクという設定に変わりはない。濃マゼンタインクと淡マゼンタインクも同様である。さらに、濃イエローインクと淡イエローインクとを有する７色インクの装置構成の場合もある。
【００２２】
インクの供給は、インクカセット１０Ｋ、１０Ｃ、１０ＬＣ、１０Ｍ、１０ＬＭ、１０Ｙから印字ヘッドまで各色毎に供給される。本実施形態では、濃シアンインクと淡シアンインク、および濃マゼンタインクと淡マゼンタインクは、それぞれ同一のインクカセットに収納されている。
【００２３】
上述した印字ヘッド１を、一般的に横並び方式と呼んでおり、キャリッジ２０１の主走査方向に複数のインク色に対応して印字ヘッドが配置されている。一方、縦並び方式は、複数のインク色を吐出する印字ヘッドが、キャリッジの主走査方向と垂直、すなわち記録媒体搬送方向に配置されている。縦並び方式は、横並び方式に比べて少ないスペースに複数のインクを配置できるため、装置の小型化に有利という利点がある。また、縦並び方式は、各色のインク打ち込み順序が、両方向印字を行う場合でも変わらないため、横並び方式に比べて両方向印字の色ムラが少ない。
【００２４】
速度検知手段５は、キャリッジ２０１の走査速度及び印字位置を検出し、キャリッジ２０１の主走査方向の移動制御を行う。キャリジ駆動モータ８は、キャリッジ２０１を移動するための動力源である。キャリジ駆動モータ８の駆動力は、ベルト６、７により伝達され、キャリッジ２０１は、摺動軸上を移動する。キャリッジ２０１が主走査方向に移動する間に印字が行われる。
【００２５】
回復ユニット４００は、印字ヘッドの状態を常に良好に保つ機能を有している。非印字状態において、キャップ列４２０が、印字ヘッド１の複数の印字ヘッド列の吐出面を閉塞し乾燥等を防止する。なお、キャリッジ２０１が回復ユニット４００と対向する位置を、ホームポジション（以下、ＨＰとう）と称している。
【００２６】
印字動作中の回復ユニット４００の機能を説明する。実際の印字動作は、１つの印字ヘッド列内の全てのノズルを常に用いているとは限らない。また、複数の印字ヘッド列を有していても、印字データが転送されない不使用ヘッドもある。このように、キャリッジ２０１が走査中、すなわち印字ヘッド列がキャップされてない状態で、インクの吐出がある時間連続して行われないと、印字ヘッドの表面にインクが固着、乾燥することにより、インクの吐出性能が低下し画像劣化が生ずる場合がある。
【００２７】
この現象を防止するために、印字ヘッド１は、ある時間間隔をおいて、印字データが無い場合でもヘッド内のノズルを用いて吐出を行い、印字ヘッド表面の状態を常に最適に保っている。この動作を予備吐出と称している。予備吐出による吐出インクは、記録媒体やプリンタ内部に飛散し汚れが発生しないように、回復ユニット４００内のキャップ４２０に向けて吐出される。吐出されたインクは、不図示の回復ポンプにより吸引されて、廃インクタンク内に貯蔵される。従って、印字動作中に予備吐出を行う時には、キャリッジ２０１は片方向、両方向印字ともにＨＰに戻り、キャップ列４２０に対向する必要がある。
【００２８】
副走査方向の送りは、不図示の紙送りモータにより駆動された紙送り部材（ゴムローラ等）により記録媒体が送られる。記録媒体は、同図矢印Ａ方向から給紙され、印字位置に到達したら、印字ヘッド１により印字動作が行われる。印字された記録媒体は、排紙機構２、３により矢印Ｂ方向に排出される。
【００２９】
図２に、インクジェットカラープリンタの制御部の構成を示す。制御部３０１は、インクジェットカラープリンタ全体の動作を制御する制御ユニットであり、マイクロプロセッサなどのＣＰＵ３１０と、ＣＰＵ３１０により実行される制御プログラムや各種データを記憶しているＲＯＭ３１１と、ＣＰＵ３１０による各種処理の実行時にワークエリアとして使用され、各種データを一時的に保持するＲＡＭ３１２とを備えている。
【００３０】
ＲＡＭ３１２には、ホストコンピュータから受信した記録データを記録する受信バッファと、複数の印字ヘッド列１Ｃ、１Ｍ、１Ｙ、１Ｋ、１ＬＣ、１ＬＭに対応して、プリントデータを記憶するプリントバッファが設けられている。それぞれ、Ｃプリントバッファ、Ｍプリントバッファ、Ｙプリントバッファ、Ｂｋプリントバッファ、ＬＣプリントバッファ、ＬＭプリントバッファと記載している。
【００３１】
ヘッドドライバ３０２は、制御部３０１から出力される各色のプリントデータに応じて、印字ヘッド列１Ｃ、１Ｍ、１Ｙ、１Ｋ、１ＬＣ、１ＬＭを駆動する。モータドライバ３０３は、キャリジ駆動モータ８を駆動し、モータドライバ３０４は、不図示の紙送り用モータを駆動する。インタフェース部３０６は、インクジェットカラープリンタとホストコンピュータとの間のインタフェースを制御する。操作部３０７は、ユーザにより操作される各種キーやＬＣＤ等の表示器を備えている。
【００３２】
図３に、インクジェットカラープリンタの画像処理方法を示す。図３に示した各ステップの一部または全部を記録装置であるインクジェットカラープリンタ本体で行う場合と、ホストコンピュータ上で処理を行いインクジェットカラープリンタに送信する場合とがあり、本件においては、どちらの方法でも構わない。ホストコンピュータ上で処理を行う場合、図３の処理は、図２のホストコンピュータ１００で処理が行われ、インタフェース部３０６に印字データとして送信される。
【００３３】
デジタルカメラやスキャナ等の入力機器、またはコンピュータの処理等によって得られたＲ、Ｇ、Ｂの原画像信号は、色処理ＡによりＲ’、Ｇ’、Ｂ’に変換される（Ｓ２０１）。色処理Ａは、原画像信号から記録装置の色再現範囲に適応した画像信号への変換である。Ｒ’、Ｇ’、Ｂ’信号は、色処理Ｂにより各色インクに対応した信号値に変換される（Ｓ２０２）。具体的には、ＲＧＢ輝度信号を記録装置で使用されるＣＭＹ濃度信号に変換する。本実施形態では、６色インク構成であるため、各色インクに対応した信号値は、濃度信号Ｃ１、Ｍ１、Ｙ１、Ｋ１、ＬＣ１、ＬＭ１になる。
【００３４】
ガンマ（γ）補正は、ガンマ補正テーブルを用いて補正を行う（Ｓ２０３）。ガンマ補正テーブルは、インク色別の複数の階調補正テーブルであり、ガンマ補正は、階調補正テーブルを使用して階調補正を行っている。ここでは、原画像信号の入力信号値と明度または濃度との関係が線形である場合に、印刷結果の明度または濃度も、直線性が得られるように変換する。このような補正を行うことにより、階調特性が直線的になり、補間演算等を行った場合に階調性が優れた結果が得られる。
【００３５】
ガンマ補正後の画像濃度信号Ｃ２、Ｍ２、Ｙ２、Ｋ２、ＬＣ２、ＬＭ２は、量子化によりＳ２０４二値化処理が施され（Ｓ２０４）、印字ヘッド列１Ｃ、１Ｍ、１Ｙ、１Ｋ、１ＬＣ、１ＬＭに転送する画像信号Ｃ３、Ｍ３、Ｙ３、Ｋ３、ＬＣ３、ＬＭ３となる。なお、量子化（Ｓ２０４）で用いる二値化の手法は、例えば、誤差拡散法、ディザ法が用いられるのが一般的である。ディザ法は、各画素の濃度信号に対するしきい値を異ならせた所定のディザパターンにより二値化を行う方法である。
【実施例１】
【００３６】
図４に、本発明の一実施形態にかかるテストパターンを示す。実施例１では、グレー軸を決定する時に、無彩色だけでなく有彩色である低彩度画像を表示させ決定させる。調整用画像であるテストパターンには、低彩度色として、人物の肌色、山岳の地肌、建造物および地面の合計４種類の画像が表示されている。これらの画像は、モノトーンではなくカラー画像であり、１枚の写真のようになっている。一例として、人物の肌色はイエロー−レッド間の低彩度色、山岳の地肌は比較的明度の低いグレー軸周辺の色、地肌は比較的明度の高いグレー周辺の色、建造物はイエロー周辺あるいはシアン周辺の低彩度色が考えられる。このようにして色づけされたテストパターンの画像が、印刷される。
【００３７】
次に、グレー軸をイエロー、レッド、マゼンタ、ブルー、シアン、グリーン等に色合いを変化させる。このとき、グレー軸の色合いの変化に伴って、図４の肌色低彩度色も変化する。このようにして、グレー軸およびグレー軸周辺の色合いを変化させた複数の写真画像を、図６に示したように９９通りのパッチに配置する。ユーザは、９９通りのパッチの中から、好ましい色合いを選択することによってグレー軸の色合いを決定する。ユーザは、グレー軸の色合いが変化したことにより肌色、地面、建造物の色合いを見て総合的に判断することができる。従って、グレー軸のみ見て決定する従来の方法と比較して、グレー軸周辺の低彩度色の破綻を低減することができる。
【００３８】
グレー軸の色合いの変更方法を具体的に説明する。グレー軸の変更は、ユーザが選択した９９通りのパッチの中の１つの画像に基づいて、すなわち入力されたパッチ番号に基づいて、図３に示したステップS２０３のガンマ補正の値を変える。ガンマ補正の変更は、あらかじめ用意したテーブルを用いて行ってもよい。また、パッチ番号に対応した各色インクの変化量をあらかじめ用意しておき、基本ガンマ補正テーブルをこの変化量を用いて演算し、パッチ番号に対応した新ガンマ補正テーブルを作成してもよい。上述したように、ガンマ補正は、インク色別に階調補正を行っている。本実施形態では、６色インク構成であるため、個々のインクの濃度を変更する、すなわち使用量を変更することによりグレー軸の色合いを変更する。例えば、  
１）レッド色を増したい場合：マゼンタ、ライトマゼンタ、イエローを増す。あるいはシアン、ライトシアンを減らす。  
２）マゼンタ色を増したい場合：マゼンタ、ライトマゼンタを増す。あるいはシアン、ライトシアン、イエローを減らす。  
３）ブルー色を増したい場合：シアン、ライトシアン、マゼンタ、ライトマゼンタを増す。あるいはイエローを減らす。  
４）シアン色を増したい場合：シアン、ライトシアンを増やす。あるいはマゼンタ、ライトマゼンタ、イエローを減らす。  
５）グリーン色を増したい場合：シアン、ライトシアン、イエローを増す。あるいはマゼンタ、ライトマゼンタを減らす。  
６）イエロー色を増したい場合：イエローを増す。あるいはシアン、ライトシアン、マゼンタ、ライトマゼンタを減らす。  
【００３９】
このようにして、階調補正テーブルを変更することにより、色合いを変更することができる。なお、図４のテストパターンを印刷する時には、あらかじめ用意しておいた画像を印刷すればよく、上述した階調補正テーブルをパッチ毎に変更して処理する必要は無い。これは後述する実施例２，３でも同様である。
【実施例２】
【００４０】
図５に、実施例２にかかる画像処理方法を示す。実施例２では、グレー軸と低彩度色の変更に、色処理Ａ’（Ｓ５０１）を用いる。色処理Ａ’は、元の保存されている画像データを変更することなく色合いや階調特性を変更する場合に用いる演算処理である。一例としては、画像データを解析してホワイトバランス、色かぶりを補正すること、階調特性を補正して好ましい濃度特性を再現することである。色処理Ａ’は、色処理部Ａで行われるような色空間の圧縮・拡張は行わない。
【００４１】
例えて言えば、色処理Ａ’は、画像データをレタッチして好ましい画像データに変更する処理である。色処理Ａ’を行うことにより、画像データとしては見栄えのしないものでも、ユーザが好ましいと思う印刷結果が得られるように補正される。具体的には、画像データのＲＧＢ値を変更する。グレー軸は、Ｒ＝Ｇ＝Ｂであるが、例えば、レッド色を増したいときにはＲの値を大きくする。また、イエロー色を増したいときには、ＲとＧの値を大きくする。このようにして、グレー軸だけでなく、低彩度色のＲＧＢ値も変更する。
【００４２】
色処理Ａ’においてグレー軸及びグレー軸周辺の色合いを変更する。このとき、変更されるのはＲＧＢ値であり、図５においては「Ｒ’、Ｇ’、Ｂ’」という信号値として出力される。その後、図３に示した画像処理方法と同様に、色処理Ａ（Ｓ５０２）、色処理Ｂ（Ｓ５０３）、ガンマ補正（Ｓ５０４）、および量子化（Ｓ５０５）を行って出力する。
【００４３】
実施例２の場合には、実施例１とは異なり、グレー軸及びグレー軸周辺の低彩度色のみ色合いを変更するように設定可能である。高彩度色の部分は、グレー軸の変更による影響をあまり受けないようにしておくこともできる。このようにすれば、本来グレー軸の決定とはあまり関係のない高彩度色を変更せずにすむ。
【実施例３】
【００４４】
実施例３では、グレー軸及びその周辺色の変更に、図５に示した色処理Ａ（Ｓ５０２）及び色処理Ｂ（Ｓ５０３）を用いる。色処理Ｂにおいてグレー軸の変更を行う。実施例１で述べたように、色合いの変更の数だけグレー軸を変更した色処理テーブルが必要となる。具体的な変更方法としては、図５に示した色処理Ｂにおいて、Ｃ１，Ｍ１，Ｙ１，Ｋ１，ＬＣ１，ＬＭ１の使用量を、それぞれ変更したい色調に対応して変える。例えば、レッド色の強いグレー軸にしたいときには、Ｍ１，Ｙ１，ＬＭ１を増やす。また、イエロー色を強くしたいときは、Ｙ１を増やしたテーブルを作成する。
【００４５】
色処理Ｂで指定されたインクの使用方法により、記録装置の記録可能な色再現範囲が決まるので、上述した色処理Ｂの色処理テーブルに対応した色処理Ａにおける色処理テーブルが必要となる。色処理Ａは、色再現範囲の中から所望の色に対応したＲＧＢ値を記載しているので、グレー軸やその周辺の低彩度色が変更された場合、その変更に対応して色処理Ａも変更する。具体的には、色処理部Ｂにおいてレッド色が強めのグレー軸と低彩度色に変更された場合、色処理部Ａでも低彩度色はレッド色の強い色を指定する。色処理Ａの色処理テーブルは、異なったグレー軸の色合いを反映しつつ、高彩度色にはグレー軸の変更の影響が少なくなるように設定することができる。従って、実施例２と同様に、本来グレー軸の決定とはあまり関係ない高彩度色は変更せずにすむ。
【００４６】
実施例３は、全て色処理テーブルによって調整する。従って、色処理テーブルを多く持つためファイル容量は大きくなってしまうが、実施例２の演算処理と比べて、演算時間が少なくてすむ。処理能力が低いホストコンピュータや記録装置においては、実施例３の処理をスムーズに行うことができる。
【図面の簡単な説明】
【００４７】
【図１】本発明の一実施形態にかかるインクジェットカラープリンタを示す斜視図である。
【図２】インクジェットカラープリンタの制御部の構成を示すブロック図である。
【図３】実施例１にかかるインクジェットカラープリンタの画像処理方法を示すフローチャートである。
【図４】本発明の一実施形態にかかるテストパターンを示す図である。
【図５】実施例２にかかるインクジェットカラープリンタの画像処理方法を示すフローチャートである。
【図６】従来の黒とカラーとの調整を行うためのテストパターンを示す図である。
【図７】従来のグレー軸の調整を行うためのテストパターンを示す図である。
【符号の説明】
【００４８】
１  印字ヘッド
２０１  キヤリッジ
５  速度検知手段
６、７  ベルト
８  キヤリッジ駆動モータ
１０  インクカセット
４００  回復ユニット
４２０  キャップ列
１００  ホスト
３０１  制御ユニット
３０２  ヘッドドライバ
３０３、３０４  モータドライバ
３０６  インタフェース部
３０７  操作部
３１０  ＣＰＵ
３１１  ＲＯＭ
３１２  ＲＡＭ
【図１】
2005130291.tif 000003
【図２】
2005130291.tif 000004
【図３】
2005130291.tif 000005
【図４】
2005130291.tif 000006
【図５】
2005130291.tif 000007
【図６】
2005130291.tif 000008
【図７】
2005130291.tif 000009